(57)【特許請求の範囲】
【請求項１】
ディジタルインタフェースを備え、且つ音声及び又は映像信号を処理するＡＶ機器と、
前記ディジタルインタフェースを備え且つ記憶／記録手段と制御手段とを備え、前記ＡＶ機器と接続されている外部の制御機器とからなり、
前記ＡＶ機器には、少なくともディスプレイ機器を含み、該ディスプレイ機器及び又は前記ＡＶ機器、前記制御機器をディジタルバスを介して相互に接続したディジタルＡＶシステムであって、
前記制御機器の制御手段には、
前記ディスプレイ機器で選択されたチャンネル番組の履歴から所定頻度以上視聴されている高視聴頻度のチャンネル番組を抽出する手段と、
該抽出したチャンネル番組の放送開始を知らせる告知手段とを設けたこと
を特徴とする高視聴頻度番組に対応したＡＶシステム。
【請求項２】
前記ディジタルインタフェース及びディジタルバスの仕様は、ＩＥＥＥ１３９４規格に基づいたこと又は準拠するようにしたこと
を特徴とする請求項１に記載の高視聴度番組に対応したＡＶシステム。
【請求項３】
前記チャンネル番組を抽出する手段には、
過去複数週間分のチャンネル選択状態の履歴を視聴履歴テーブルに記憶する視聴履歴記録手段を備えたこと
を特徴とする請求項１に記載の高視聴頻度番組に対応したＡＶシステム。
【請求項４】
前記視聴履歴記録手段は、前記視聴履歴テーブルを更新する際に、最も古いデータを消去して、そこを新しい記録領域とすること
を特徴とする請求項３に記載の高視聴頻度番組に対応したＡＶシステム。
【請求項５】
前記告知手段には、
定まった時刻、及び又は定まった周期に基づいて視聴履歴テーブルに記憶してあるチャンネル番組の選択状態から高視聴頻度のチャンネル番組を抽出し、該抽出されたチャンネル番組を前記視聴履歴テーブルに記録するようにしたこと
を特徴とする請求項１に記載の高視聴頻度番組に対応したＡＶシステム。
【請求項６】
前記告知手段には、
前記定まった時刻及び又は定まった周期以外の異なった契機、及び又は前記抽出されたチャンネル番組を前記視聴履歴テーブルに記録する契機で、前記視聴履歴テーブルに記憶されている高視聴頻度のチャンネル番号の存在を判定する高視聴頻度番組判定手段を備えたこと
を特徴とする請求項４に記載の高視聴頻度番組に対応したＡＶシステム。
【請求項７】
前記告知手段は、
前記高視聴頻度のチャンネル番組の放送開始時間に、他のチャンネルを視聴している場合には、該視聴している画面上に重畳して告知するようにしたこと
を特徴とする請求項１に記載の高視聴頻度番組に対応したＡＶシステム。
【請求項８】
前記告知手段は、
前記高視聴頻度のチャンネル番組の放送開始時間に、視聴するディスプレイ機器の電源がオフしている場合には、該ディスプレイ機器の電源をオンにし、且つ前記高視聴頻度のチャンネルに設定するようにしたこと
を特徴とする請求項７に記載の高視聴頻度番組に対応したＡＶシステム。
【請求項９】
ディジタルインタフェースを備え、且つ音声及び又は映像信号を処理するＡＶ機器と、
前記ディジタルインタフェースを備え且つ記憶／記録手段と制御手段とを備え、前記ＡＶ機器と接続されている外部の制御機器とからなり、
前記ＡＶ機器、前記制御機器をディジタルバスを介して相互に接続したディジタルＡＶシステムであって、
前記ＡＶ機器は、少なくともディスプレイ機器と、指定されたチャンネルの番組を録画再生する録画再生機器とから構成し、
前記制御機器の制御手段には、
前記録画再生機器の過去複数週間分の番組録画状態の履歴を記憶する録画履歴テーブルを備えたこと
を特徴とする高録画頻度番組に対応したＡＶシステム。
【請求項１０】
前記ディジタルインタフェース及びディジタルバスの仕様は、ＩＥＥＥ１３９４規格に基づいたこと又は準拠するようにしたこと
を特徴とする請求項９に記載の高録画頻度番組に対応したＡＶシステム。
【請求項１１】
前記制御機器の制御手段には、
定まった時刻、及び又は定まった周期に基づいて前記録画履歴テーブルに記憶してある前記録画再生機器の録画チャンネル番組の選択状態から高録画頻度のチャンネル番組を検出し、該検出された高録画頻度のチャンネル番組を前記録画履歴テーブルに記録するようにしたこと
を特徴とする請求項９に記載の高録画頻度番組に対応したＡＶシステム。
【請求項１２】
前記制御手段は、前記録画履歴テーブルにチャンネル番号を記録する際に、最も古いデータを消去して、そこを新しい記録領域とすることを特徴とする請求項１１に記載の高録画頻度番組に対応したＡＶシステム。
【請求項１３】
前記制御機器の制御手段には、
前記定まった時刻及び又は定まった周期以外の異なった契機、及び又は前記検出された高録画頻度のチャンネル番組を前記録画履歴テーブルに記録する契機で、前記録画履歴テーブルに記憶されている高録画頻度のチャンネル番号の存在を判定する高録画頻度番組判定手段を備えたこと
を特徴とする請求項１１に記載の高録画頻度番組に対応したＡＶシステム。
【請求項１４】
前記制御機器の制御手段には、
前記高録画頻度のチャンネル番組の放送開始時間に、該高録画頻度のチャンネル番組の録画予約がされていないか、又は前記放送開始時間に録画できる状態になっていない場合には、ディスプレイ機器の画面上に重畳して告知するようにしたこと
を特徴とする請求項１１又は１３に記載の高録画頻度番組に対応したＡＶシステム。
【請求項１５】
前記制御機器の制御手段には、
前記高録画頻度のチャンネル番組の放送開始時間に、前記ディスプレイ機器の電源がオフしており、且つ前記高録画頻度チャンネル番組の録画予約がされていないか、又は前記放送開始時間に録画できる状態になっていない場合には、前記録画再生機器の録画を選択的に設定できるようにしたこと
を特徴とする請求項１４に記載の高録画頻度番組に対応したＡＶシステム。
【発明の詳細な説明】
【０００１】
【発明の属する技術分野】
本発明は、高視聴頻度のチャンネル番組及び高録画頻度のチャンネル番組に対応したＡＶシステムに関するものであり、詳しくは、ディスプレイ機器であるテレビジョン受像機と、制御機器である、例えばパソコンと、録画再生機器であるビデオカセットレコーダ（ＶＣＲ）とをＩＥＥＥ１３９４等のディジタルバスで相互接続して構成し、パソコンをシステムコントローラとしてシステム全体を制御するように構成されたＡＶシステムにおいて、テレビジョン受像機の視聴者が普段高頻度で視聴している番組（以下、高視聴頻度のチャンネル番組と云う）及び高頻度で録画している番組（以下、高録画頻度のチャンネル番組と云う）の放送時間に夫々の対応したＡＶ機器を制御するＡＶシステムに関する。
【０００２】
【従来の技術】
テレビジョンの視聴者には、毎週、同じ時間に同じチャンネル番組を視聴するという傾向があることが知られている。本発明者等は、上記のような視聴傾向に基づき以前下記のようなアイデアを開示した。
【０００３】
即ち、テレビジョン受像機内で、そのテレビジョン受像機の視聴者個人の過去の曜日、時間毎の番組別の視聴傾向又は録画傾向に関する履歴を管理することにより、ある曜日、ある時間毎の高視聴頻度のチャンネル番組を統計的に割り出して記憶しておく。そして、テレビジョン受像機の電源投入時や選局時等において、上記履歴に基づき高視聴頻度のチャンネル番組を自動的に選択して視聴者に提供するというものである。
【０００４】
上記アイデアを更に広げて、本発明者等は、電源が投入されていない場合や、視聴者が不在の場合や、視聴者が漫然と他の番組を見ている場合等においても、確実に高視聴頻度のチャンネル番組の視聴又は録画ができるようにした「高視聴頻度番組」対応放送受信装置を発明し、既に、特願平３−３５５６８号「放送受信装置」及び特願平３−３６２７４号「テレビ放送受信装置」で開示したところである。
【０００５】
【発明が解決しようとする課題】
しかしながら、上記各発明による放送受信装置は、通常のテレビジョン受像機又はビデオレコーダに対して、視聴者が高視聴頻度のチャンネル番組の視聴又は録画を忘れずに行うことができるようにするためにコンピュータによるプログラム制御機能を付加したものである。そのため、本来のテレビジョン受像機及びビデオレコーダの回路の他に高視聴頻度のチャンネル番組対応機能を持つ回路の付加やメモリの増加等が必要となり、コスト及び負荷電力の増加を強いることになり問題点となっていた。
【０００６】
一方、現在所謂パソコンは一般家庭に相当数普及しており将来益々増加する趨勢にあり、また、テレビジョン受像機の表示機能も現在より更に高度化する趨勢にある。パソコンはプログラムを与えることにより任意の情報処理を行うことができるプログラム制御装置であり、テレビジョン受像機は放送された映像や録画された映像を表示することは勿論、それらに重畳してあるいは単独に、任意の文字、絵、図表等を表示することができる極めて便利な表示装置となっている。
【０００７】
つまり、現在又は将来にわたり、上記「高視聴頻度のチャンネル番組」対応放送受信装置と同等又はそれ以上の機能を賄うには充分過ぎる程のリソースが家庭内に分散して存在している状況がある。
【０００８】
従って、本発明は、１個のテレビジョン受像機を上記「高視聴頻度のチャンネル番組」対応放送受信装置に改造するのではなく、家庭内に分散して既に存在するテレビジョン受像機、ビデオレコーダ、パソコンが持つ各上記リソースを有効利用することにより低コストで簡単に構成することができる「高視聴頻度番組」対応放送受信システムに課題を有する。
【０００９】
【課題を解決するための手段】
上記課題を解決するため、本発明に係る高視聴頻度番組に対応したＡＶシステムは、ディジタルインタフェースを備え、且つ音声及び又は映像信号を処理するＡＶ機器と、前記ディジタルインタフェースを備え且つ記憶／記録手段と制御手段とを備え、前記ＡＶ機器と接続されている外部の制御機器とからなり、前記ＡＶ機器には、少なくともディスプレイ機器を含み、該ディスプレイ機器及び又は前記ＡＶ機器、前記制御機器をディジタルバスを介して相互に接続したディジタルＡＶシステムであって、前記制御機器の制御手段には、前記ディスプレイ機器で選択されたチャンネル番組の履歴から所定頻度以上視聴されている高視聴頻度のチャンネル番組を抽出する手段と、該抽出したチャンネル番組の放送開始を知らせる告知手段とを設けたことである。
【００１０】
又、高録画頻度番組に対応したＡＶシステムは、ディジタルインタフェースを備え、且つ音声及び又は映像信号を処理するＡＶ機器と、前記ディジタルインタフェースを備え且つ記憶／記録手段と制御手段とを備え、前記ＡＶ機器と接続されている外部の制御機器とからなり、前記ＡＶ機器、前記制御機器をディジタルバスを介して相互に接続したディジタルＡＶシステムであって、前記ＡＶ機器は、少なくともディスプレイ機器と、指定されたチャンネルの番組を録画再生する録画再生機器とから構成し、前記制御機器の制御手段には、前記録画再生機器の過去複数週間分の番組録画状態の履歴を記憶する録画履歴テーブルを備えたことである。
【００１１】
上記構成にした高視聴頻度番組に対応したＡＶシステムは、視聴者が定期的に見ている番組の放送時間が来ているのに気がつかず何となく他の番組を見ている時には上記番組放送が始まることを表示装置の画面に文字列やアイコン等で表示して喚起を促すことができるようになる。
【００１２】
又、視聴者が定期的に見ている番組の放送時間が来た時、ディスプレイ機器の電源が入っていない時には、自動的に電源を入れると共に、チャンネルを視聴者が定期的に見ている番組に設定することができ、定期的に見ている番組の視聴を見逃すことが減少またはなくなる。
【００１３】
一方、高録画頻度番組に対応したＡＶシステムは、視聴者が定期的に見ている番組が録画再生機器に録画予約がされていない時や視聴者が定期的に見ている番組の放送時間が来たのに録画が開始されていない時にはディスプレイ機器の画面に録画を促すメッセージを表示したり、又は、ディスプレイ機器がオフの状態の時は録画再生機器を選択的に選択して自動的に録画できる状態にできるようにして、録画し忘れたり、話の筋がわからなくなってしまうと云う問題点が解決できる。
【００１４】
【発明の実施の形態】
本発明に係る高視聴頻度番組及び高録画頻度番組に対応したＡＶシステムの望ましい実施の形態は、図１に示すように、夫々ＩＥＥＥ１３９４インタフェース（以下１３９４Ｉ／Ｆという）とマイコンとを内蔵する、テレビジョン受像機ＴＶと、所謂パソコンである制御機器ＰＣと、録画再生機器ＶＣＲ−１、ＶＣＲ−２と、その他のＡＶ機器とを、ＩＥＥＥ１３９４ディジタルＡＶバス（以下「１３９４バス」という）でシリアルに相互接続したディジタルＡＶシステムである。
【００１５】
上記テレビジョン受像機ＴＶ、制御機器ＰＣ、録画再生機器ＶＣＲ−１、ＶＣＲ−２の他に、１３９４バスには夫々１３９４Ｉ／Ｆを持つ任意の種類のＡＶ機器を任意の数だけシリアルに相互に接続してもよい。１３９４バスに接続されるＡＶ機器の数及び順序は任意である。
【００１６】
各ＡＶ機器の１３９４Ｉ／Ｆの内部端子は、夫々のマイコンと接続されており、外部端子は１３９４バスと接続されている。なお、１３９４バスは制御線とデータ線とからなる。
【００１７】
各ＡＶ機器の１３９４Ｉ／Ｆには、周期的にタイムスロットが割り当てられ、各１３９４Ｉ／Ｆは自分に割り当てられたタイムスロット内において宛先付きデータを送信し、あるいは自己宛のデータを受容し、自己宛以外のデータを受容せずに通過させる。このようにして、各ＡＶ機器は任意のＡＶ機器と高速でデータの授受を行うことができる。
【００１８】
上記ディジタルＡＶシステムは、システムコントローラとしての制御機器ＰＣに与えるプログラムにより各種の動作形態で使用することができる。つまり、制御機器ＰＣは、所定の時間にプログラムを実行し、テレビジョン受像機ＴＶ及び／又は録画再生機器ＶＣＲ−１、ＶＣＲ−２に対して１３９４バスを通じて各種指示コマンドを送信してディスプレイ機器であるテレビジョン受像機ＴＶ及び／又は録画再生機器ＶＣＲ−１、ＶＣＲ−２にこの指示コマンドを実行させてチャンネル選択、表示、録画等を行わせたり、又は１３９４バスを通じてテレビジョン受像機ＴＶ及び／又は録画再生機器ＶＣＲ−１、ＶＣＲ−２に問い合わせコマンドを送信し、テレビジョン受像機ＴＶ及び又は録画再生機器ＶＣＲ−１、ＶＣＲ−２から１３９４バスを通じて上記問い合わせコマンドに対する応答を受け、この応答に基づき記録、計算、判断、新たな指示コマンドの発行等の各種情報処理を行うように構成されている。
【００１９】
本実施形態においては、パソコンからなる制御機器ＰＣに制御手段、即ち、高視聴頻度のチャンネル番組及び高録画頻度のチャンネル番組を抽出する手段を形成するプログラムを駆動させることにより、テレビジョン受像機ＴＶの表示機能及び音声出力機能と録画再生機器ＶＣＲ−１、ＶＣＲ−２の録画機能と制御機器ＰＣの制御機能とを有効利用する。
【００２０】
即ち、
（１）視聴者が定期的に見ている番組の放送時間が来ているのに気がつかず何となく他の番組を見ている時には上記定期的に見ている番組放送が始まることをテレビジョン受像機ＴＶの画面に文字列やアイコン等でスーパーインポーズで重畳表示する。
【００２１】
（２）視聴者が見たい番組の放送時間が来た時、テレビジョン受像機の電源が入っていない時には、自動的に電源を入れ上記番組のチャンネルに設定する。
【００２２】
（３）定期的に見ている番組の放送時間が来た時、録画再生機器ＶＣＲ−１、ＶＣＲ−２に上記番組の録画予約がされていない時、又は、録画が開始されないときにはテレビジョン受像機ＴＶの画面に録画を促すメッセージを表示する等の機能を持つ高視聴頻度のチャンネル番組に対応したＡＶシステムを形成したものである。
【００２３】
高視聴頻度のチャンネル番組を抽出する手段は、後述するように、視聴履歴テーブル更新ルーチンと、高視聴頻度番組判定ルーチンと、高視聴頻度番組チャンネル設定ルーチンと、録画アナウンスルーチンとを含んでいる。
【００２４】
以下、テレビジョン受像機ＴＶ、制御機器ＰＣ、録画再生機器ＶＣＲ−１、ＶＣＲ−２の各構成並びに全体システムの動作について順に説明する。
【００２５】
テレビジョン受像機ＴＶは、図２に示すように、放送電波を受信するアンテナ１と、アンテナ１に接続されたチューナ２と、チューナ２の出力端子に接続された中間周波回路３と、中間周波回路３の出力を夫々の入力とする映像処理部４及び音声処理部５と、映像処理部４の出力端子に接続された重畳表示処理部６と、重畳表示処理部６の出力端子と接続された表示器７と、音声処理部５の出力端子に接続された混声処理部８と、混声処理部８の出力端子と接続されたスピーカ９と、ＣＰＵ２１と、データバス２２と、チューナ２とデータバス２２との間に介在するＩ／Ｏ回路２３と、データバス２２と重畳表示処理部６との間に介在するＶＲＡＭ２４及びディスプレイコントローラ２５と、データバス２２と混声処理部８との間に介在するＩ／Ｏ回路２６と、Ｉ／Ｏ回路２６を介してデータバス２２と接続されたリモコン信号デコーダ２７と、リモコン信号デコーダ２７と赤外線信号で接続されるリモコン２８と、Ｉ／Ｏ回路２９を介してデータバス２２と接続されたタイマ３０と、夫々データバス２２と接続されたＲＯＭ３１、ＥＥＰＲＯＭ３２、ＲＡＭ３３と、１３９４Ｉ／Ｆ３４と、映像信号デコーダ３５と、音声信号デコーダ３６と、Ｄ／Ａ変換機３７、３８とから構成されている。
【００２６】
アンテナ１で受信された電波は、チューナ２に供給される。チューナ２にはＩ／Ｏ回路２３を介して選局信号が供給されている。チューナ２は、選局信号で指定されたチャンネルの放送信号を選択して中間周波信号に変換し中間周波回路３へ出力する。
【００２７】
中間周波回路３は、中間周波信号から映像信号と音声信号とを復調し、映像信号を映像処理部４へ、音声信号を音声処理部５へ夫々出力する。
【００２８】
映像処理部４で処理された映像信号は、重畳表示処理部６の一方の入力端子ａに入力する。重畳表示処理部６の他方の入力端子ｂには、後述するディスプレイコントローラ２５から供給される文字、文字列、記号、アイコン、静止画像、アニメーション等の映像データを入力する。
【００２９】
重畳表示処理部６は、Ｄ／Ａ変換機３７と接続された入力端子ｃを有している。入力端子ｃには制御機器ＰＣから出力された表示データが入力する。
【００３０】
重畳表示処理部６は、ＣＰＵ２１から図示していない制御端子に入力する選択制御信号により制御され、入力端子ａ、ｂか入力端子ｃかを選択し、入力端子ａ、ｂを選択した場合はそれらの入力信号の重畳信号またはいずれか単独の信号を出力する入力切換機能も持っている。
【００３１】
表示器７は、重畳表示処理部６の出力信号をＣＲＴ画面に表示する。即ち、重畳信号は二つの映像信号をスーパーインポーズして重畳表示し、いずれか単独の映像信号の場合は単独で重畳表示する。
【００３２】
混声処理部８は、入力端子ｄ、ｅ、ｆを有している。入力端子ｄには音声処理部５で処理された放送音声信号が入力する。入力端子ｅにはＲＯＭ３１に格納されている音声データがＩ／Ｏ回路２６を介して入力する。また、入力端子ｆにはＤ／Ａ変換機３８から出力された音声データを入力する。
【００３３】
混声処理部８は、ＣＰＵ２１から図示していない制御端子に入力する選択制御信号により制御され、入力端子ｄ、ｅか入力端子ｆかを選択し、入力端子ｄ、ｅを選択した場合はそれらの入力信号の混合信号又はいずれか単独の信号を出力する入力切換機能も持っており、選択した音声信号を音量調整や混声のバランスを取った後にスピーカ９へ出力する。このスピーカ９は、混声処理部８から出力された音声信号を音として出力する。
【００３４】
ＣＰＵ２１は、ＲＯＭ３１に格納されている所定の制御プログラムを実行することによりテレビジョン受像機ＴＶの動作全体を制御する。即ち、ＣＰＵ２１は、通常の放送受信時におけるチャンネル選択、表示、音声出力を制御すると共に、１３９４Ｉ／Ｆ３４を通じて制御機器ＰＣから送信されきたコマンドを解読し下記のことを行う。
【００３５】
（１）制御機器ＰＣから１３９４バスを通じて、現在選択している（視聴している）チャンネル番号について問い合わせコマンドを受信したら、現在チューナ２に設定されているチャンネル番号を１３９４バスを介して制御機器ＰＣへ応答する。
【００３６】
（２）制御機器ＰＣから１３９４バスを介して、現在選択している（視聴している）チャンネルが高視聴頻度番組のチャンネルであるか否かを問い合わせるコマンドを受信したら、現在チューナ２に設定されているチャンネル番号を高視聴頻度番組のチャンネル番号と比較し、上記問い合わせに対して”はい”又は”いいえ”で１３９４バスを介して制御機器ＰＣへ応答する。
【００３７】
（３）制御機器ＰＣから１３９４バスを介して高視聴頻度のチャンネル番組の開始を知らせるメッセージを伴う指示コマンドを受信したら、１３９４Ｉ／Ｆ３４のデータ通路を閉じ、上記メッセージの内映像データを映像信号デコーダ３５及びＤ／Ａ変換機３７を介して重畳表示処理部６へ通し、音声信号を音声信号デコーダ３６及びＤ／Ａ変換機３８を介して混声処理部８へ通す。その結果、表示器７に映像メッセージが重畳表示され、スピーカ９から音声メッセージが出力することになる。
【００３８】
（４）制御機器ＰＣから１３９４バスを介して現在の電源の状態（オンになっているか）についての問い合わせコマンドを受信したら、１３９４バスを介して制御機器ＰＣへ電源の状態について”はい”又は”いいえ”で応答する。
【００３９】
（５）制御機器ＰＣから１３９４バスを介して電源オンの指示コマンドを受信したら、図示していない電源スイッチをオンに設定する。
【００４０】
データバス２２は、ＣＰＵ２１と他の回路とのデータ授受の経路である。
Ｉ／Ｏ回路２３は、ＣＰＵ２１の制御の下でチューナ２へチャンネル選択制御信号を送る。
ＶＲＡＭ２４は、放送映像に重畳したいメッセージ等の１画面分の画素データを記憶する。
【００４１】
ディスプレイコントローラ２５は、リモコン２８の指示により、ＣＰＵ２１の制御の下でＶＲＡＭ２４上に表示器７の１画面分のメッセージ、メニュー、イメージ等をＲＯＭ３１に記憶されている文字、文字列、記号、アイコン、静止画、動画等で作成し、これを重畳表示処理部６へ送る。これらの１画面分のメッセージ、メニュー、イメージ等からなる情報は、通常の放送画像に重畳されて表示器７に表示されることになる。
【００４２】
リモコン信号デコーダ２７は、利用者により操作されるリモコン２８から送信される赤外線のリモコン信号を受信し解読し、Ｉ／Ｏ回路２６を介してＣＰＵ２１へ送る機能を有する。
【００４３】
タイマ３０は、リアルタイムクロックを計時し、Ｉ／Ｏ回路２９を介してＣＰＵ２１へ時刻を知らせる。
ＲＯＭ３１は、テレビジョン受像機ＴＶの表示及びコマンド処理プログラム並びにフォント、静止画、アニメーション等の表示データ及び表示データに対応した音声出力データ等の固定データを記録する。
【００４４】
ＥＥＰＲＯＭ３２は、不揮発性メモリであり、可変データの内重要なデータ、例えば、使用者が設定したチャンネル、音量、画質等に関するデータを記憶している。
ＲＡＭ３３は、ＣＰＵ２１がプログラムを実行する場合の作業データを一時的に記憶している。
【００４５】
１３９４Ｉ／Ｆ３４は、制御機器ＰＣ及び録画再生機器ＶＣＲ−１、ＶＣＲ−２と夫々接続されている１３９４バスの制御線をデータバス２２に接続し、データ線を映像信号デコーダ３５及び音声信号デコーダ３６に接続する機能を有している。これにより、テレビジョン受像機ＴＶは、制御機器ＰＣ及び録画再生機器ＶＣＲ−１、ＶＣＲ−２の各ＣＰＵとの間で制御信号及びデータの授受が可能となる。
【００４６】
他のＡＶ機器からのデータの内、映像信号は映像信号デコーダ３５で解読され、Ｄ／Ａ変換機３７でアナログ信号に変換されて重畳表示処理部６の入力端子ｃに供給される。また、他のＡＶ機器からのデータの内、音声信号は音声信号デコーダ３６で解読され、Ｄ／Ａ変換機３８でアナログ信号に変換されて混声処理部８の入力端子ｆに供給される。
【００４７】
次に、録画再生機器ＶＣＲ−１、ＶＣＲ−２について説明する。
録画再生機器ＶＣＲ−１、ＶＣＲ−２の内部構成は図示していないが、１３９４Ｉ／Ｆと、マイコンからなる制御部と、周知の録画・再生部とを有している。
【００４８】
１３９４Ｉ／Ｆは、図１に示すように、１３９４バスを介してテレビジョン受像機ＴＶの１３９４Ｉ／Ｆ３４と直接に接続されており、また、テレビジョン受像機ＴＶと制御機器ＰＣとの間の１３９４バスを介して間接に制御機器ＰＣの１３９４Ｉ／Ｆとも接続されている。これにより録画再生機器ＶＣＲ−１、ＶＣＲ−２は制御機器ＰＣ及びテレビジョン受像機ＴＶと自由に通信することができる。
【００４９】
制御部は、マイコンと、リモコンとを有している。マイコンはＣＰＵと、このＣＰＵに接続されたデータバスと、このデータバスに夫々接続されたメモリ、タイマ、リモコン信号デコーダとを有している。データバスは１３９４Ｉ／Ｆと接続されている。
録画・再生部は、ＣＤ−ＲＯＭ駆動部と書込／読取用ヘッドとを有している。
【００５０】
このような構成による録画再生機器ＶＣＲ−１、ＶＣＲ−２は、下記の機能を有する。
（１）視聴者がリモコンの録画ボタンを操作することにより現在放映中の番組を自己のチューナを通じて録画することができる。
（２）視聴者が曜日、時間、チャンネルを設定して録画予約を行うことができる。
【００５１】
（３）テレビジョン受像機ＴＶから再生コマンドを受信した時、再生を開始し、１３９４バスを通じて再生信号をテレビジョン受像機ＴＶへ送信する。
（４）制御機器ＰＣから１３９４バスを通じて現在録画中の番組の問い合わせコマンドを受信した時、録画中の番組のチャンネル番号を数字で１３９４バスを通じて応答する。録画している番組が無い場合は、”０”を応答する。
【００５２】
（５）制御機器ＰＣから１３９４バスを通じて、あるチャンネル（高録画頻度番組）が現在録画中又は録画予約されているか否かを問い合わせるコマンドを受信した時、この問い合わせに対して１３９４バスを通じて制御機器ＰＣへ”はい”又は”いいえ”で応答する。
【００５３】
次に、制御機器ＰＣについて説明する。
制御機器ＰＣは、図示していないが、１３９４Ｉ／Ｆと、制御部と、表示部と、入力部とからなる。制御部は、ＣＰＵと、データバスと、このデータバスに接続された、各種メモリ、タイマ、ディスプレイ制御部、入／出力インタフェース等から構成されている。
【００５４】
表示部は、ＣＲＴ又は液晶ディスプレイからなる。
入力部は、キーボード、マウス、リモコン、ＣＤ−ＲＯＭ駆動器等を有する。
任意のプログラムをＣＤ−ＲＯＭ駆動器により入力することができ、入力されているプログラムの全てのメニュをディスプレイ画面に表示させ、マウスカーソルで上記プログラムメニュの中の任意のプログラムを指定して実行可能状態に置くことができるようになっている。
【００５５】
制御機器ＰＣのＣＰＵは１３９４Ｉ／Ｆ及び１３９４バスを通じて直接テレビジョン受像機ＴＶと接続され、また、テレビジョン受像機ＴＶの１３９４Ｉ／Ｆ３４を介して間接的に録画再生機器ＶＣＲ−１、ＶＣＲ−２の１３９４Ｉ／Ｆと接続されている。従って、制御機器ＰＣは、１３９４バスを通じて、テレビジョン受像機ＴＶ及び録画再生機器ＶＣＲ−１、ＶＣＲ−２に対して各種コマンドを送信し、また、このコマンドに対するテレビジョン受像機ＴＶ、録画再生機器ＶＣＲ−１、ＶＣＲ−２からの応答を受信することができる。
【００５６】
この高視聴頻度番組に対応したＡＶシステムにおいては、パソコンである制御機器ＰＣに高視聴頻度のチャンネル番組を抽出する手段のプログラムを入力し予めメモリに格納しておく。このプログラムには、図３に示すような視聴履歴テーブルと、図示していないが視聴履歴テーブルと同様な録画履歴テーブルと、図４に流れ図で示すような視聴履歴テーブル更新ルーチンと、図５でメモリマップで示すような高視聴頻度番組判定ルーチンと、図６に流れ図で示すような高視聴頻度番組チャンネル設定ルーチンと、図７に流れ図で示すような録画アナウンスルーチンと、夫々図示していないが、視聴履歴テーブル更新ルーチンと同様な録画履歴テーブル更新ルーチン、高視聴頻度番組判定ルーチンと同様な高録画頻度番組判定ルーチンとを含んでいる。
【００５７】
視聴履歴テーブルは、過去数週間の間に視聴者が選局したテレビジョン受像機ＴＶの番組の履歴を記録する表である。
即ち、定まった時刻、及び又は定まった周期で選択されたチャンネル番組を記録し、この選択されたチャンネル番組から高視聴頻度番組のチャンネル番組を抽出して記録してある。
又、定まった時刻及び又は定まった周期以外の異なった契機及び又は抽出されたチャンネル番組を記録する契機に高視聴頻度のチャンネル番組の存在を判定する際にも使用される。
この視聴履歴テーブルは、制御機器ＰＣの不揮発性メモリ内に例えば図３に示すような形式で記録されている。図３に示す例では、１日を１４４個の１０分間の時間帯に分割し、各時間帯に対してメモリアドレスを割当て、各時間帯で、テレビジョン受像機ＴＶの電源が入っていないか、ビデオ再生中等のため放送番組が視聴されていない場合は、対応アドレスに”０”を記録し、例えばチャンネル”４”を視聴している場合は数字の”４”を記録する。
【００５８】
録画履歴テーブルは、視聴履歴テーブルと同様に録画再生機器ＶＣＲ−１、ＶＣＲ−２の過去数週間の録画履歴を記録した表である。
即ち、定まった時刻、及び又は定まった周期で録画されたチャンネル番組を記録し、この録画されたチャンネル番組から高視聴頻度番組のチャンネル番組を抽出して記録してある。
又、定まった時刻及び又は定まった周期以外の異なった契機及び又は抽出されたチャンネル番組を記録する契機に高録画頻度のチャンネル番組の存在を判定する際にも使用される。
【００５９】
次に、このような構成からなる高視聴頻度番組に対応したＡＶシステムの動作について説明する。
【００６０】
１．視聴履歴テーブルの作成更新
視聴履歴テーブルは、図４に流れ図で示す視聴履歴テーブル更新ルーチンにより作成され、一定周期で更新される。
例えば１０分の時間帯毎の視聴番組を記録している視聴履歴テーブル４０においては、視聴履歴テーブル更新ルーチンは１０分毎に起動される。先ずステップＳＴ１１で、視聴履歴テーブル内の最も古いデータ、即ち最も遠い過去のデータを消去することによりそこに新しい記憶領域（アドレス）を確保する。
【００６１】
次に、ステップＳＴ１２で、制御機器ＰＣは、１３９４バスを通じてテレビジョン受像機ＴＶへコマンドを送り、現在視聴中のチャンネル番号を問い合わせる。この問い合わせコマンドに応じて、テレビジョン受像機ＴＶは現在視聴中のチャンネル番号を１３９４バスを通じて制御機器ＰＣへ通報する。なお、テレビジョン受像機ＴＶは現在放送を視聴していない場合は”０”を通報する。
【００６２】
制御機器ＰＣは、テレビジョン受像機ＴＶからチャンネル番号が通報されてきた場合は、そのチャンネル番号を上記新しいアドレスに書き込む（ステップＳＴ１３）。また、”０”が通報されてきた場合は上記新しいアドレスに”０”を書き込む（ステップＳＴ１４）。
このようにして１０分毎に視聴履歴テーブルの内容が更新される。尚、実施例においては１０分毎になっているがこれに限定されることなく、適宜設定変更できることは勿論のことである。
【００６３】
２．高視聴頻度番組の判定
高視聴頻度番組判定ルーチンは、所謂高視聴頻度番組判定手段であり、数週間分の視聴履歴に基づき「視聴者が定期的にいつも見ている番組」を下記の要領で判定する。
例えば３週間分の視聴履歴に基づき高視聴頻度番組を判定する場合は、図５に示すように、３週間分の視聴履歴テーブルから同曜日の三つの履歴データ群を取り出し、各データ群の同一時間帯の各チャンネルデータを比較する。
【００６４】
そして、同一時間帯の三つのチャンネルデータが等しい場合はその時間帯においてそのチャンネルの視聴頻度は１００％であるから高視聴頻度番組であると判定する。例えば１９時０１分〜２０時０１分の時間帯では、３日共チャンネル番号”１２”を見ているから、この時間帯でのチャンネル番号”１２”は視聴頻度は１００％であり高視聴頻度番組と判定される。
【００６５】
なお、高視聴頻度番組の判定基準は必ずしも１００％とする必要はなく、何週間分の視聴履歴テーブルにより判定するかにより、もっと低い値、例えば４分の３とか５分の４とかにしたり、あるいは、最近の数週間で連続して視聴されている番組を高視聴頻度番組と判定する等色々ある。
【００６６】
３．高視聴頻度番組へのチャンネル設定
制御機器ＰＣは、一定周期で図６に示すような高視聴頻度番組チャンネル設定ルーチンを起動し、ステップＳＴ２１で、上記高視聴頻度番組判定要領により、現在の曜日と時刻で高視聴頻度番組があるか否かを調べ、高視聴頻度番組が有ればその番組のチャンネル番号を抽出しステップＳＴ２２へ進む。
【００６７】
ステップＳＴ２２で、高視聴頻度番組が無ければルーチンを終了する。高視聴頻度番組があればステップＳＴ２３へ進み、１３９４バスを通じてテレビジョン受像機ＴＶへコマンドを送りテレビジョン受像機ＴＶの電源の状態を問い合わせる。これに対して、テレビジョン受像機ＴＶは電源が入っている（オン）か否（オフ）かを１３９４バスを通じて制御機器ＰＣへ返答する。
【００６８】
制御機器ＰＣは、テレビジョン受像機ＴＶからの通報によりテレビジョン受像機ＴＶの電源がオフであることを認識した場合は、ステップＳＴ２４で、１３９４バスを通じてテレビジョン受像機ＴＶに対してコマンドを送りテレビジョン受像機ＴＶの電源をオンにさせ、１３９４バスを通じてテレビジョン受像機ＴＶの電源オンを確認した後、１３９４バスを通じてテレビジョン受像機ＴＶへコマンドを送りテレビジョン受像機ＴＶのチャンネルを上記高視聴頻度番組のチャンネルに設定させる。
【００６９】
また、制御機器ＰＣは、上記ステップＳＴ２３において、テレビジョン受像機ＴＶの電源がオンになっていることを認識した場合は、ステップＳＴ２６へ進み、１３９４バスを介して、テレビジョン受像機ＴＶの現在設定されている（視聴中である）チャンネルを問い合わせ、このチャンネルが上記高視聴頻度番組のチャンネルであるか否かを調べる。
【００７０】
もし、ステップＳＴ２６で、現在視聴中の番組が高視聴頻度のチャンネル番組であるならばルーチンを終了する。現在視聴中の番組が高視聴頻度のチャンネル番組でないならばステップＳＴ２７へ進み、１３９４バスを通じてテレビジョン受像機ＴＶに対して「現在見ている番組はいつも見ている高視聴頻度番組と違う」旨のメッセージを送る。テレビジョン受像機ＴＶはそのメッセージをＴＶ画面にスーパーインポーズして表示し、視聴者に知らせる。
【００７１】
４．録画履歴テーブルの作成更新
録画履歴テーブルは、上記視聴履歴テーブル更新ルーチンと同様の録画履歴テーブル更新ルーチンにより作成され、一定周期で更新される。
【００７２】
制御機器ＰＣは、録画履歴テーブル内の最も古いデータを消去することによりそこに新しい記憶領域（アドレス）を確保し、次に、１３９４バスを通じて録画再生機器ＶＣＲ−１、ＶＣＲ−２へコマンドを送り、現在録画中のチャンネル番号を問い合わせる。この問い合わせコマンドに応じて、録画再生機器ＶＣＲ−１、ＶＣＲ−２から送られてきたチャンネル番号を上記新しいアドレスに書き込む。
【００７３】
５．高録画頻度番組の判定
高録画頻度番組の判定は、即ち、高録画頻度番組判定手段であり、高視聴頻度番組判定ルーチンと同様な高録画頻度番組判定ルーチンによって行われ、数週間分の録画履歴に基づき「視聴者がいつも録画している番組」を判定する。
【００７４】
６．録画のアナウンス
制御機器ＰＣは、一定周期で図７に示すような録画のアナウンスルーチンを起動し、ステップＳＴ３１で、上記高録画頻度番組判定要領により現在の曜日と時刻で高録画頻度番組があるか否かを調べ、高録画頻度番組が有ればその番組のチャンネル番号を抽出する。
【００７５】
ステップＳＴ３２で、高録画頻度番組が無ければルーチンを終了する。高録画頻度番組があればステップＳＴ３３へ進む。ステップＳＴ３３で、制御機器ＰＣは１３９４バスを通じて録画再生機器ＶＣＲ−１、ＶＣＲ−２へコマンドを送り、上記高録画頻度番組の録画予約が済んでいるか又は録画中であるかを問い合わせる。
【００７６】
録画再生機器ＶＣＲ−１、ＶＣＲ−２は、制御機器ＰＣからの問い合わせに対して録画予約済みか録画中か、又は上記いずれでも無いかを１３９４バスを通じて制御機器ＰＣへ通報する。
録画予約済みか又は録画中である場合はルーチンを終了する。
【００７７】
上記いずれでも無い場合は、制御機器ＰＣは、ステップＳＴ３４において、１３９４バスを通じてテレビジョン受像機ＴＶの電源の状態を問い合わせ、テレビジョン受像機ＴＶの電源がオン状態ならばステップＳＴ３６へ進み、テレビジョン受像機ＴＶの電源がオフ状態ならばステップＳＴ３５へ飛ぶ。
【００７８】
ステップＳＴ３５において、制御機器ＰＣは、１３９４バスを通じてテレビジョン受像機ＴＶへコマンドを送りその電源をオンに設定させ、ステップＳＴ３６へ進む。
【００７９】
ステップＳＴ３６では、制御機器ＰＣは、１３９４バスを通じてテレビジョン受像機ＴＶへ「チャンネル４でいつも録画している番組が始まりますよ」等のメッセージを送信する。テレビジョン受像機ＴＶは、図８に示すように、そのメッセージを一定時間画面に表示する。このメッセージを見て視聴者は録画再生機器ＶＣＲ−１、ＶＣＲ−２の録画を行うことになる。
尚、メッセージの内容を適宜変更できることは勿論のことである。
【００８０】
【発明の効果】
以上説明したように、本発明に係る高視聴頻度番組及び高録画頻度番組に対応したＡＶシステムは、ディスプレイ機器であるテレビジョン受像機、録画再生機器であるビデオレコーダ、制御機器であるパソコン等のＡＶ機器をディジタルバスで接続することにより、各ＡＶ機器の夫々の独自の機能を有効利用しているので、視聴者は何時も見ている番組を見逃したり、何時も録画している番組を録画し損なうことがなくなると云う効果がある。
【００８１】
又、夫々のＡＶ機器に新たな回路やメモリを付加することがないので、各ＡＶ機器のコストを増加させることなく低コストの高視聴頻度番組及び高録画頻度番組に対応したＡＶシステムを構成することができる。
【００８２】
更に、制御機器の機能及び性能の向上、プログラムの改良、メモリディスクの容量の増大、ＣＰＵの高速化等により、高視聴頻度番組及び高録画頻度番組対応のＡＶシステム全体の機能及び性能を向上させることができる。
【図面の簡単な説明】
【図１】本発明に係る高視聴頻度番組及び高録画頻度番組対応のＡＶシステムの一実施形態を示す説明図である。
【図２】図１のディスプレイ機器であるテレビジョン受像機ＴＶの構成を示すブロック図である。
【図３】図１の制御機器ＰＣのメモリに内蔵される視聴履歴テーブルの内容を示す説明図である。
【図４】視聴履歴テーブルの作成更新動作を示す流れ図である。
【図５】高視聴頻度番組判定動作を示す説明図である。
【図６】高視聴頻度番組へのチャンネル設定動作を示す流れ図である。
【図７】高視聴頻度番組の録画アナウンス動作を示す流れ図である。
【図８】ディスプレイ機器であるテレビジョン受像機ＴＶにおける表示例を示す説明図である。
【符号の説明】
１：アンテナ，２：チューナ，３：中間周波回路，４：映像処理部，５：音声処理部，６：重畳表示処理部，７：表示器，７ａ：表示画面，８：混声処理部，９：スピーカ，２１：ＣＰＵ，２２：データバス，２３、２６、２９：Ｉ／Ｏ回路，２４：ＶＲＡＭ，２５：ディスプレイコントローラ，２７：リモコン信号デコーダ，２８：リモコン，３０：タイマ，３１、３２、３３：メモリ，３４：１３９４Ｉ／Ｆ，３５、３６：デコーダ，３７、３８：Ｄ／Ａ変換器，４０：視聴履歴テーブル，テレビジョン受像機ＴＶ、録画再生機器ＶＣＲ−１、ＶＣＲ−２、制御機器ＰＣ
【図１】
0003682799.tif 000002
【図２】
0003682799.tif 000003
【図３】
0003682799.tif 000004
【図４】
0003682799.tif 000005
【図５】
0003682799.tif 000006
【図６】
0003682799.tif 000007
【図７】
0003682799.tif 000008
【図８】
0003682799.tif 000009